(57)【要約】      （修正有）【課題】供試体を所定の温度で高精度に安定させて保持することが可能な定温養生装置及び車両を提供する。【解決手段】水Ｌを収容する保温槽２０と、保温槽２０の壁面に設けられた面状のヒータ２５と、保温槽２０内にソイルセメント又はセメントミルクの供試体Ｓを保持するテーブル２８と、保温槽２０に設けられ水Ｌの温度を測定する温度センサ２６と、温度センサ２６の出力値に基づいて、ヒータ２５の温度制御を行う制御部３０とを備えている。【選択図】図２
2020016078.tif 000002
【特許請求の範囲】
【請求項１】
流体を収容する保温槽と、
この保温槽の壁面に設けられた面状の発熱体と、
前記保温槽内にセメントを含む供試体を保持する保持部と、
前記保温槽に配置され前記流体の温度を測定する温度センサと、
この温度センサの出力値に基づいて、前記発熱体の温度制御を行う制御部とを備え、
前記流体の温度を所定の温度で保持する定温養生装置。
【請求項２】
仕切壁により、液密に仕切られた２槽を有し、それぞれ流体を収容する保温槽と、
この保温槽の各槽それぞれの壁面に設けられた面状の発熱体と、
前記仕切壁として形成された面状のペルチェ素子と、
前記保温槽内にセメントを含む供試体を保持する保持部と、
前記保温槽の各槽それぞれに配置され前記流体の温度を測定する温度センサと、
この温度センサの出力値に基づいて、前記発熱体及び前記ペルチェ素子の温度制御を行う制御部とを備え、
前記流体の温度を所定の温度で保持する定温養生装置。
【請求項３】
前記保持部は、振動防止手段を備えている請求項１又は２に記載の定温養生装置。
【請求項４】
前記保温槽は、振動防止手段を有する脚部を備えている請求項１又は２に記載の定温養生装置。
【請求項５】
前記発熱体はペルチェ素子である請求項１に記載の定温養生装置。
【請求項６】
前記保温槽内には前記流体を撹拌する撹拌機が設けられている請求項１又は２に記載の定温養生装置。
【請求項７】
請求項１〜請求項６のいずれか１項に記載の定温養生装置を備える車両。
【発明の詳細な説明】
【技術分野】
【０００１】
本発明は、支持地盤等に形成されるソイルセメントの強度推定方法に用いられる定温養生装置及び車両に関するものである。
【背景技術】
【０００２】
既製杭を埋設して杭基礎を構築する場合、根固め部や杭周部の強度が、杭基礎の支持力に大きな影響を与えることが知られている。この杭基礎の構築において、地盤を掘削して形成した杭穴内にセメント系固化剤を注入し、掘削土砂と攪拌混合してソイルセメントからなる根固め部や杭周部を築造していた。
【０００３】
このような根固め部の強度を確認する手段として、充填物が固化した後に、地下数十ｍの地中まで穴を空けてボーリングによりソイルセメント等の試料を採取することがなされていた。このボーリングによる方法では、時間・費用などの面で負担が多いことから、固化前の試料から強度推定する方法が行われている（例えば、特許文献１参照。）。この方法は、未固結の試料を杭穴内から採取して供試体を作製し、地上の定温養生装置内で一定温度・湿度等の条件下で固化させる。その後、圧縮試験によって供試体の強度確認を行い、地下の根固め部の強度を推定することがなされている。この強度推定方法では、定温養生装置内で２８日経過した供試体の強度、いわゆる標準養生における材令２８日強度で判断する方法が採用されている。
【０００４】
一方、この方法では、セメント系固化剤の注入から試験まで最低でも２８日を要することから、支持地盤から採取した試料に対して、固化を促進する特殊促進養生（例えば、実際の温度よりも高温とした条件下で養生する）を施し、この特殊促進養生後の供試体に対して圧縮試験を行うことで、材令２８日強度と同等の強度を短期間（例えば、１〜７日間）で推定し、強度不足であればセメント系固化剤の配合比率や注入量を変更する方法が採られている。
【０００５】
このような標準養生や特殊促進養生を行う場合、温度管理を行うため、様々な養生方法が開発されている（例えば、特許文献２参照。）。また、供試体を恒温槽に載置する方法も知られている（例えば、特許文献３参照。）。
【先行技術文献】
【特許文献】
【０００６】
【特許文献１】特開２００１−７３３６０号公報
【特許文献２】特開２０００−３４６７６８号公報
【特許文献３】実開平５−４３０７０号公報
【発明の概要】
【発明が解決しようとする課題】
【０００７】
上述した定温養生装置には、次のような問題があった。建設現場内で携帯可能な定温養生装置なので、温度を管理する機構が簡素である。このため、所望の温度を高精度に安定させて保持することが難しかった。そして、管理された温度にばらつきがある供試体では、材令強度等を正確に評価することが難しかった。
【０００８】
そこで、本発明は、供試体を所定の温度で高精度に安定させて保持することが可能な定温養生装置及び車両を提供する。
【課題を解決するための手段】
【０００９】
請求項１に記載された発明は、流体を収容する保温槽と、この保温槽の壁面に設けられた面状の発熱体と、前記保温槽内にセメントを含む供試体を保持する保持部と、前記保温槽に設けられ前記流体の温度を測定する温度センサと、この温度センサの出力値に基づいて、前記発熱体の温度制御を行う制御部とを具備している。
【００１０】
上記構成により、保温槽内の流体は面状の発熱体によって均一に加熱され、且つ制御部によって流体全体の温度を一定に保持するため、ソイルセメント、セメントミルク等のセメントを含む供試体を安定した温度の環境下で養生することができる。したがって、圧縮試験時に正確な強度を発現可能な供試体を提供することができる。このため、所定日数経過後の強度評価を正確に行うことができる。
【００１１】
請求項２に記載された発明は、仕切壁により、液密に仕切られた２槽を有し、それぞれ流体を収容する保温槽と、この保温槽の各槽それぞれの壁面に設けられた面状の発熱体と、前記仕切壁に設けられた面状のペルチェ素子と、前記保温槽内にセメントを含む供試体を保持する保持部と、前記保温槽の各槽それぞれに設けられ前記流体の温度を測定する温度センサと、この温度センサの出力値に基づいて、前記発熱体の温度制御を行う制御部とを具備している。
【００１２】
上記構成により、保温槽内の流体は面状の発熱体によって均一に加熱され、且つ制御部によって流体全体の温度を一定に維持するため、ソイルセメント、セメントミルク等のセメントを含む供試体を安定した温度の環境下で養生することができる。したがって、圧縮試験時に正確な強度を発現可能な供試体を提供することができる。このため、所定日数経過後の強度評価を正確に行うことができる。また、仕切壁によって異なる養生環境を複数形成することができるため、複数の条件下で供試体を一度に養生することができる。
【００１３】
請求項３に記載された発明では、前記保持部は、振動防止手段を備えている。これにより、外部からの振動に対する養生への影響を最小限に抑えることができる。
【００１４】
請求項４に記載された発明では、前記保温槽は、振動防止手段を有する脚部を備えている。これにより、外部からの振動に対する養生への影響を最小限に抑えることができる。
【００１５】
請求項５に記載された発明では、前記発熱体はペルチェ素子である。これにより、加熱の他、冷却も行うことができ、温度の安定性を向上させることができる。
【００１６】
請求項６に記載された発明では、前記保温槽内には前記流体を撹拌する撹拌機が設けられている。これにより、保温槽内の流体は均一化されるため、ソイルセメント、セメントミルク等のセメントを含む供試体を安定した環境下で養生することができる。このため、所定日数経過後の強度評価を正確に行うことができる。
【００１７】
請求項７に記載された発明は、定温養生装置を有する車両である。これにより、ソイルセメント又はセメントミルクの採取場所の近くで養生を開始することができる。
【発明の効果】
【００１８】
本発明によれば、供試体を所定の温度で高精度に安定させて保持することが可能な定温養生装置及び車両を提供することができる。
【図面の簡単な説明】
【００１９】
【図１】本発明の第１の実施の形態に係る温水養生装置が用いられる強度推定を示す説明図。
【図２】同温水養生装置を模式的に示す断面図。
【図３】同温水養生装置が用いられる強度推定方法の手順を示す説明図。
【図４】同温水養生装置の変形例を模式的に示す説明図。
【図５】本発明の第２の実施の形態に係る定温養生装置を模式的に示す説明図。
【図６】本発明の第３の実施の形態に係る温水養生装置を模式的に示す説明図。
【図７】同温水養生装置が用いられる強度推定方法の手順を示す説明図。
【発明を実施するための形態】
【００２０】
以下、本発明を図示する実施形態に基づいて説明する。この実施形態は、既製杭等の根固め部におけるソイルセメントの強度推定方法に適用した例である。図１は本発明の第１の実施の形態に係る温水養生装置１０が用いられる強度推定を示す説明図、図２は温水養生装置１０を模式的に示す断面図、図３は温水養生装置１０が用いられる強度推定方法の手順を示す説明図である。なお、図中Ｓはソイルセメントの供試体、Ｌは水、Ｍは空気、Ｇは地面、Ｑは掘削孔、Ｖは車両を示している。供試体Ｓは、例えば、直径５ｃｍ、高さ１５ｃｍ程度の管体や袋体に収容されている。
【００２１】
図１中１はボーリング装置、２は延長ロッド、３は採取装置、４は一軸圧縮試験機、１０は温水養生装置（定温養生装置）を示している。
【００２２】
温水養生装置１０は、保温槽２０を備えている。保温槽２０は、ゴム等の脚部２１によって地面Ｇ等に載置されている。また、保温槽２０は、断熱材等で形成された側壁面２２、底板２３、天板２４が設けられている。側壁面２２、底板２３には面状のヒータ２５が設けられている。
【００２３】
保温槽２０内部には、底板２３上に設けられた弾性体からなる支持部２７と、この供試体Ｓを載置するテーブル（保持部）２８を備えている。テーブル２８は、例えば２４個の供試体Ｓを載置できる大きさに形成されている。
【００２４】
側壁面２２に設けられるヒータ２５は、当該ヒータ２５の下端が底板２３の上面とほぼ同じ高さ位置に配置されている。また、当該ヒータ２５の上端は、供試体Ｓの上端面よりも高い位置に配置されている。高さの異なる供試体Ｓを用いる場合には、最も高い供試体Ｓの上端面よりも高くなるように配置される。
【００２５】
底板２３に設けられるヒータ２５は、当該ヒータ２５の側壁面２２側縁部がテーブル２８の外周縁よりも側壁面２２側に位置するように配置される。
【００２６】
ヒータ２５は天板２４には設けられない。温められた水Ｌが熱の対流によって上方に移動するため、天板２４付近を加熱する必要はない。
【００２７】
すなわち、ヒータ２５は、供試体Ｓが載置されるテーブル２８を、上方を除いて覆うように配置されている。
【００２８】
そして、ヒータ２５は、水Ｌに接する面内において均一の温度を発現することができる。
【００２９】
各ヒータ２５は後述する制御部３０に接続されている。天板２４は開閉可能に構成されており、閉じた場合には液密に閉じることができる。保温槽２０の内部には温度センサ２６が設けられている。
【００３０】
側壁面２２に設けられるヒータ２５の側方の水Ｌは温められると、密度が小さくなり軽くなるため上方へ移動する。上方へ移動する際に、テーブル２８上の供試体Ｓを温める。
【００３１】
また、底板２３に設けられるヒータ２５の上方の水Ｌも温められると、上方へ移動するとともに、テーブル２８上の供試体Ｓを温める。
【００３２】
底板２３に設けられるヒータ２５によって温められて上方へ移動した水Ｌは、側壁面２２側からの温められた水Ｌと合流して、熱源の無い上部中央へ移動する。水中の上部中央には、温められた水Ｌが集まるために、水中の中央部には下方へ向かう流れが生じて水Ｌの循環、すなわち対流が生じる。
【００３３】
この下方へ向かう流れが生じる位置に温度センサ２６は配置されている。具体的には、テーブル２８上の中央部に設けられている。
【００３４】
底板２３外部には各ヒータ２５を制御する制御部３０と、バッテリ３１が設けられている。制御部３０は上述した温度センサ２６からの温度出力値に基づいて、ヒータ２５への通電のＯＮ／ＯＦＦを行う。なお、温度制御については温度出力値の他、温度変化率に基づいて制御しても良い。
【００３５】
また、所定の温度に到達したら、側壁面２２側のヒータ２５の通電を停止して底板２３側のヒータ２５のみを作動させても良いし、底板２３側のヒータ２５の通電を停止して側壁面２２側のヒータ２５のみを作動させても良い。
【００３６】
制御部３０は、商用電源等の外部電力に接続され、ヒータ２５への電力供給や制御を行っている。また、制御部３０内部にタイマや記憶部を有しており、温度変化のログを記録することができる。制御部３０は、商用電源の他、発電機等に接続するようにしてもよい。また、バッテリ３１に対しても電力を供給している。さらに、商用電源や発電機を一時的に使用できない場合には、バッテリ３１に蓄電された電力を用いても良い。
【００３７】
このように構成された温水養生装置１０は、次のようにして用いる。手順については図３に示す。まず、攪拌混合装置で現位置地盤土とセメント系固化剤とを攪拌混合する工法により根固めや地盤改良工事を行う。次に、ボーリング装置１によって、セメント系固化剤を注入した根固め部等から未固結の試料を採取する。次に、採取した未固結の試料を管体あるいは袋体に所定量注入し、供試体Ｓを作製する。そして、供試体Ｓをテーブル２８上に並べる。次に水温２０℃前後の水Ｌを注入する。そして、標準養生を開始する。なお、セメント系固化剤の注入から標準養生を開始するまでの時間は前置き養生であり、養生時間に算入する。この前置き養生は例えば２．５〜３．５時間である。
【００３８】
次に、水温が２０℃±２℃の範囲が維持されるように制御部３０によってヒータ２５を制御する。ヒータ２５は面状で、且つ同一面上は均一の温度を発現できるため、水Ｌは均等に熱せられる。また、ヒータ２５を側壁面２２及び底板２３に設けたことにより、対流によって、保温槽２０内の水温はほぼ２０℃前後に均一化される。
【００３９】
なお、本実施形態では、供試体Ｓをテーブル２８に載置した後に、水Ｌを注入する場合について説明したが、この順番に限定されるものではなく、予め２０℃前後に制御された水Ｌ内に供試体Ｓを載置してもよい。
【００４０】
所定の時間（例えば、２７日２０〜２１時間）が経過した後、供試体Ｓを保温槽２０から取り出し、所定の大きさ（例えば、直径５ｃｍ、高さ１０ｃｍ）に切断する。そして、一軸圧縮試験機４にセットする。保温槽２０内からの取り出しからの時間は後置き養生であり、養生時間に算入する。この後置き養生は例えば０．５時間である。そして、一軸圧縮試験機４を作動させて、供試体Ｓの強度を測定し、根固め部の強度を評価する。一軸圧縮試験はＪＩＳＡ１２１６（土の一軸圧縮試験方法）またはＪＩＳＡ１１０８（コンクリートの圧縮試験方法）に準じて行うことが好ましい。
【００４１】
なお、脚部２１及び支持部２７にゴム等の弾性体を用いているため、外部から伝達される振動による養生への影響を最小限に抑えることができ、さらに正確な強度評価を行わせることが可能となる。
【００４２】
このように本実施形態に係る温水養生装置１０によれば、供試体Ｓを安定した環境下で養生することができるため、正確な強度評価を行わせることが可能となる。この時、制御部３０において温度記録がされているため、供試体Ｓの養生が正しく行えている事を確認できる。また、供試体Ｓは水Ｌ内に浸漬されているため、供試体Ｓからの水分の流出を抑えることができる。更に、温度センサ２６が、水中の下方へ向かう流れが生じている箇所に配置されるため、水中全体が所定温度に到達したか否かを正確に把握することができる。すなわち、下方へ向かう流れが生じている箇所の温度測定値が所定温度であれば、水中全体が所定温度であると判断することができる。
【００４３】
なお、ヒータ２５の代わりにペルチェ素子を用いてもよい。ペルチェ素子を用いた場合、加熱の他、冷却も可能となる。
【００４４】
なお、この実施形態においては、標準養生について説明したが、特殊促進養生に用いてもよい。この場合、温度を例えば５５℃±２℃、養生期間を３日に設定する。
【００４５】
また、この実施形態においては、温度センサ２６を保温槽２０の中央部に設ける場合について説明したが、この位置に限定されるものではない。例えば、テーブル２８上の複数の温度センサ２６を設けてもよい。この場合、全ての温度測定値の平均値を採用することとしてもよい。
【００４６】
温水養生装置１０をトラック等の荷台に設置することで、温水養生機能を有する車両Ｖとすることも可能である。ボーリング装置１によって試料を採取する場所は各所の建設現場であり、常に一軸圧縮試験機４が設置されている試験場の近隣にあるわけではない。このため、車両Ｖに温水養生装置１０を搭載しておけば、試料の採取場所近くで養生を開始し、一軸圧縮試験機４が設置されている試験場まで運搬して養生を終了することが可能となる。この場合、前置き養生や後置き養生の時間を正確に取ることができ、高精度な強度評価が可能となる。
【００４７】
車両Ｖに搭載される温水養生装置１０は、電源は車両Ｖに搭載された発電機やバッテリ等から供給するようにしてもよい。
【００４８】
図４は変形例に係る温水養生装置１０Ａを模式的に示す説明図である。なお、図４において、図２と同一機能部分には同一符号を付し、その詳細な説明は省略する。
【００４９】
温水養生装置１０Ａには、上述した支持部２７及びテーブル２８の代わりに、吊り下げユニット４０が設けられている。吊り下げユニット４０は、ゴム等の弾性体からなる一対の支持部４１と、これら一対の支持部４１上にそれぞれ設けられた一対の柱体４２と、これら柱体４２間に掛け渡されたワイヤ４３を備えている。ワイヤ４３には例えば２４個の供試体Ｓが吊り下げられている。
【００５０】
このように構成された温水養生装置１０Ａにおいても、上述した温水養生装置１０と同様の効果を得ることができると共に、供試体Ｓを全体にわたって水Ｌで覆うことができるため、供試体Ｓ内部での温度変化を最小限に抑えることができる。さらに、脚部２１及び支持部４１にゴム等の弾性体を用い、さらにワイヤ４３によって吊り下げられているため、外部から伝達される振動を吸収することができ、養生への影響を最小限に抑え、さらに正確な強度評価を行わせることが可能となる。
【００５１】
図５は本発明の第２の実施の形態に係る定温養生装置５０を模式的に示す説明図である。なお、図５において、図２と同一機能部分には同一符号を付し、その詳細な説明は省略する。
【００５２】
定温養生装置５０には、保温槽２０内に水Ｌの代わりに、空気Ｍで満たされている。空気Ｍを用いた場合には、槽内の温度ムラが発生しやすいため、槽内の空気Ｍを循環させて均一化させるための循環ファン５１が例えば天板２４に設置されている。
【００５３】
このように構成された定温養生装置５０においても、上述した温水養生装置１０と同様の効果を得ることができる。なお、この場合、管体あるいは袋体に供試体Ｓを気密封入することで乾燥を防ぐことができる。
【００５４】
図６は本発明の第３の実施の形態に係る温水養生装置（定温養生装置）６０を模式的に示す説明図、図７は温水養生装置６０が用いられる強度推定方法の手順を示す説明図である。
【００５５】
温水養生装置６０は、保温槽７０を備えている。保温槽７０は、上槽７０Ａ及び下槽７０Ｂの二槽を有している。保温槽７０は、ゴム等の脚部７１によって地面Ｇ等に載置されている。また、保温槽７０は、断熱材等で形成された側壁面７２、底板７３、天板７４、仕切壁７５が設けられている。側壁面７２、底板７３には面状のヒータ７６が設けられている。各ヒータ７６は後述する制御部８０に接続されている。側壁面７２及び天板７４は開閉可能に構成されており、閉じた場合には液密に閉じることができる。保温槽７０の内部には温度センサ７７が設けられている。仕切壁７５にはペルチェ素子７８が設けられている。ペルチェ素子７８は一方の面を冷却、他方の面を加熱するように制御部８０によって制御される。
【００５６】
保温槽７０の上槽７０Ａにおいては、供試体Ｓが仕切壁７５に設けられたテーブル７９上に載置されている。保温槽７０の下槽７０Ｂにおいては、供試体Ｓが底板７３上に設けられたテーブル７９上に載置されている。
【００５７】
底板７３外部には各ヒータ７６を制御する制御部８０と、バッテリ８１が設けられている。制御部８０は上述した温度センサ７７からの温度出力値に基づいて、ヒータ７６への通電のＯＮ／ＯＦＦを行う。なお、温度制御については温度出力値の他、温度変化率に基づいて制御しても良い。
【００５８】
制御部８０は、商用電源等の外部電力に接続され、ヒータ７６への電力供給や制御を行っている。また、制御部８０内部にタイマや記憶部を有しており、温度変化のログを記録することができる。制御部８０は、商用電源の他、発電機等に接続するようにしてもよい。また、制御部８０は、バッテリ８１に対しても商用電源の交流電流を直流電流に変換する等して充電用電力を供給している。さらに、商用電源や発電機を一時的に使用できない場合には、バッテリ８１に蓄電された電力を用いることもできる。
【００５９】
このように構成された温水養生装置６０は、次のようにして用いる。手順については図７に示す。まず、攪拌混合装置で現位置地盤土とセメント系固化剤とを攪拌混合する工法によりや根固めや地盤改良工事を行う。次に、ボーリング装置１によって、セメント系固化剤を注入した根固め部等から未固結の試料を採取する。次に、採取した未固結の試料を管体あるいは袋体に所定量注入し、供試体Ｓを作製する。そして、供試体Ｓを仕切壁７５及びテーブル７９上に並べる。次に水温５５℃前後の水Ｌを上槽７０Ａに、水温２０℃前後の水Ｌを下槽７０Ｂに注入する。そして、特殊促進養生及び標準養生を同時に開始する。なお、固化剤の注入から標準養生・特殊促進養生を開始するまでの時間は前置き養生であり、養生時間に算入する。この前置き養生は例えば２．５〜３．５時間である。
【００６０】
次に、上槽７０Ａにおいて水温が５５℃±２℃の範囲が維持されるように制御部８０によってヒータ７６を制御する。ヒータ７６は面状であるため、水Ｌは均等に熱せられ、また対流によって、上槽７０Ａ内の水温はほぼ５５℃前後に均一化される。一方、下槽７０Ｂにおいて水温が２０℃±２℃の範囲が維持されるように制御部８０によってヒータ７６を制御する。ヒータ７６は面状であるため、水Ｌは均等に熱せられ、また対流によって、下槽７０Ｂ内の水温も同様にほぼ２０℃前後に均一化される。
【００６１】
所定の時間（例えば、２日２０〜２１時間）が経過した後、供試体Ｓを上槽７０Ａから取り出し、所定の大きさ（例えば、直径５ｃｍ、高さ１０ｃｍ）に切断する。そして、一軸圧縮試験機４にセットする。槽内からの取り出しからの時間は後置き養生であり、養生時間に算入する。この後置き養生は例えば０．５時間である。そして、一軸圧縮試験機４を作動させて、供試体Ｓの強度を測定し、根固め部の強度を評価する。一軸圧縮試験はＪＩＳＡ１２１６（土の一軸圧縮試験方法）またはＪＩＳＡ１１０８（コンクリートの圧縮試験方法）に準じて行うことが好ましい。
【００６２】
同様にして所定の時間（例えば、２７日２０〜２１時間）が経過した後、供試体Ｓを下槽７０Ｂから取り出し、所定の大きさ（例えば、直径５ｃｍ、高さ１０ｃｍ）に切断する。そして、一軸圧縮試験機４にセットする。槽内からの取り出しからの時間は後置き養生であり、養生時間に算入する。この後置き養生は例えば０．５時間である。そして、一軸圧縮試験機４を作動させて、供試体Ｓの強度を測定し、根固め部の強度を評価する。
【００６３】
なお、保温槽７０は、脚部７１にゴム等の弾性体を用いているため、外部から伝達される振動による影響を最小限に抑えることができる。
【００６４】
上述した制御部８０においては、上槽７０Ａと下槽７０Ｂの水温調節についてペルチェ素子７８を用いて、例えば、上槽７０Ａを加熱、下槽７０Ｂを冷却のようにヒータ７６とは異なる調整方法で行うことができる。ペルチェ素子７８の両面を有効に利用することができると共に、消費電力を低減することもできる。
【００６５】
このように本実施形態に係る温水養生装置６０によれば、供試体Ｓを上槽７０Ａで特殊促進養生させ、下槽７０Ｂで標準養生させることができるので、単一の装置で温度のみ異なる２種類の養生が可能となる。また、安定した環境下で養生することができるため、正確な強度評価を行わせることが可能となる。さらに、また、制御部８０において温度記録がされているため、供試体Ｓの養生が正しく行えている事を確認できる。また、供試体Ｓは水Ｌに浸漬されているため、供試体Ｓからの水分の流出を抑えることができる。なお、ヒータ７６の代わりにペルチェ素子を用いてもよい。ペルチェ素子を用いた場合、加熱の他、冷却も可能となる。
【００６６】
なお、上述した各実施形態においては、温度センサを保温槽内に設けたが、各供試体Ｓに取り付けても良い。さらに流体として水Ｌ以外に水よりも比熱の大きいオイル等を用いても良い。
【００６７】
また、上述した各実施形態における定温養生装置及び車両においては、養生対象をソイルセメントとして説明したが、これに限定されるものではない。すなわち、ソイルセメントのほか、セメントミルクを養生する場合にも用いることができる。セメントミルクを養生する場合は、セメントミルクプラント等からセメントミルクを採取する。次に、管体あるいは袋体に所定量の採取した未固結の試料を注入し、供試体Ｓを作製し、温水養生装置１０又は定温養生装置５０にセットする。セメントミルクを供試体Ｓとした場合であっても、上述した各実施形態と同様の効果が得られる。
【００６８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６９】
１…ボーリング装置、４…一軸圧縮試験機、１０，１０Ａ…温水養生装置、２０…保温槽、２１…脚部、２２…側壁面、２３…底板、２４…天板、２５…ヒータ（発熱体）、２６…温度センサ、２７…支持部、２８…テーブル（保持部）、３０…制御部、３１…バッテリ、４０…吊り下げユニット、４１…支持部、４２…柱体、４３…ワイヤ、５０…定温養生装置、５１…循環ファン、６０…温水養生装置（定温養生装置）、７０…保温槽、７０Ａ…上槽、７０Ｂ…下槽、７１…脚部、７２…側壁面、７３…底板、７４…天板、７５…仕切壁、７６…ヒータ（発熱体）、７７…温度センサ、７８…ペルチェ素子、７９…テーブル（保持部）、８０…制御部、８１…バッテリ、Ｓ…供試体、Ｌ…水、Ｍ…空気、Ｇ…地面、Ｑ…掘削孔、Ｖ…車両。
【図１】
2020016078.tif 000003
【図２】
2020016078.tif 000004
【図３】
2020016078.tif 000005
【図４】
2020016078.tif 000006
【図５】
2020016078.tif 000007
【図６】
2020016078.tif 000008
【図７】
2020016078.tif 000009